(57)【要約】【課題】本発明では、２個又は２種類以上の鞄類を同時に肩に掛けて使用する際に、鞄類のショルダーベルトが肩からずり落ちてしまうのを防いで安全性を向上させることを課題とする。【解決手段】本発明では、異なる鞄類のショルダーベルト（２，３）同士を連結するためのショルダーベルト連結具（１）であって、一方の鞄類のショルダーベルト（２）に着脱自在に又は固定して設けられ、他方の鞄類のショルダーベルト（３）を着脱自在に保持するための保持体（５）を有することにした。また、本発明では、前記一方の鞄類のショルダーベルト（２）に着脱自在に装着される装着体（４）に前記保持体（５）を設けることにした。さらに、本発明では、前記保持体（５）よりも前記装着体（４）の幅を広くすることにした。【選択図】図１
2019134839.tif 000002
【特許請求の範囲】
【請求項１】
異なる鞄類のショルダーベルト同士を連結するためのショルダーベルト連結具であって、
一方の鞄類のショルダーベルトに着脱自在に又は固定して設けられ、他方の鞄類のショルダーベルトを着脱自在に保持するための保持体を有することを特徴とするショルダーベルト連結具。
【請求項２】
前記一方の鞄類のショルダーベルトに着脱自在に装着される装着体に前記保持体を設けたことを特徴とする請求項１に記載のショルダーベルト連結具。
【請求項３】
前記保持体よりも前記装着体の幅を広くしたことを特徴とする請求項１又は請求項２に記載のショルダーベルト連結具。
【発明の詳細な説明】
【技術分野】
【０００１】
本発明は、異なる鞄類のショルダーベルト同士を連結するためのショルダーベルト連結具に関するものである。
【背景技術】
【０００２】
従来より、鞄やナップサックやランドセルや幼児用キャリアなどといった鞄類においては、使用時に両手が塞がらないといった利便性を考慮して、手提げ用のベルトとして肩掛けできるショルダーベルトが設けられている（たとえば、特許文献１参照。）。
【０００３】
そして、２個又は２種類以上の鞄類を同時に使用する際には、左右いずれか片方の肩に複数のショルダーベルトを重ねて掛けることが多い。
【先行技術文献】
【特許文献】
【０００４】
【特許文献１】特開２００３−２２５１１４号公報
【発明の概要】
【発明が解決しようとする課題】
【０００５】
ところが、２個又は２種類以上の鞄類を同時に使用する際に片方の肩に複数のショルダーベルトを重ねて掛けていると、歩行時等に複数の鞄類のいずれかのショルダーベルトが肩からずり落ちてしまうことがあり、それに伴って他の鞄類のショルダーベルトも一緒に肩からずり落ちてしまい、鞄類が落下して損傷してしまうおそれがある。
【０００６】
特に、幼児用キャリアやナップサックやランドセルなどのように両方の肩に掛ける２本のショルダーベルトがある鞄類では、それだけを用いている場合には比較的安定しているにもかかわらず、これら幼児用キャリア等と一緒に他の鞄類をあわせて用いる場合には、幼児用キャリア等のショルダーベルトと鞄類のショルダーベルトを片方の肩に重ねて掛けることになり、鞄類のショルダーベルトが肩からずり落ちた際に幼児用キャリア等のショルダーベルトまで一緒にずり落ちてしまい、幼児の落下などの事故につながりかねずに危険なものであった。
【課題を解決するための手段】
【０００７】
そこで、請求項１に係る本発明では、異なる鞄類のショルダーベルト同士を連結するためのショルダーベルト連結具であって、一方の鞄類のショルダーベルトに着脱自在に又は固定して設けられ、他方の鞄類のショルダーベルトを着脱自在に保持するための保持体を有することにした。
【０００８】
また、請求項２に係る本発明では、前記請求項１に係る本発明において、前記一方の鞄類のショルダーベルトに着脱自在に装着される装着体に前記保持体を設けることにした。
【０００９】
また、請求項３に係る本発明では、前記請求項１又は請求項２に係る本発明において、前記保持体よりも前記装着体の幅を広くすることにした。
【発明の効果】
【００１０】
そして、本発明では、以下に記載する効果を奏する。
【００１１】
すなわち、本発明では、異なる鞄類のショルダーベルト同士を連結するためのショルダーベルト連結具において、一方の鞄類のショルダーベルトに着脱自在に又は固定して設けられ、他方の鞄類のショルダーベルトを着脱自在に保持するための保持体を有することにしているために、両方の鞄類のショルダーベルトを連結させた状態で肩に掛けることができるので、片方の鞄類のショルダーベルトだけが肩からずり落ちてしまうのを防ぐことができ、安全性を向上させることができる。
【００１２】
特に、一方の鞄類のショルダーベルトに着脱自在に装着される装着体に保持体を設けた場合には、いずれの鞄類にも汎用して用いることができるので、利便性を向上させることができる。
【００１３】
また、保持体よりも装着体の幅を広くすることにした場合には、幅広の装着体を肩に掛けることで、肩が受ける力が分散して身体的苦痛を軽減することができるとともに、安定感を向上させることができる。
【図面の簡単な説明】
【００１４】
【図１】本発明に係るショルダーベルト連結具を示す斜視図。
【図２】同平面図。
【図３】ショルダーベルト連結具を設けた幼児用キャリアを示す説明図。
【発明を実施するための形態】
【００１５】
以下に、本発明に係るショルダーベルト連結具の具体的な構成について図面を参照しながら説明する。
【００１６】
図１に示すように、ショルダーベルト連結具１は、一方の鞄類のショルダーベルト２と他方の鞄類のショルダーベルト３とを連結するものである。ここで、鞄類とは、書類や荷物や幼児などを運搬するために用いられるものであれば特に限定されるものではなく、たとえば、鞄やナップサックやランドセルや幼児用キャリアなどが例示される。なお、特に限定されるものではないが、下側で連結される一方の鞄類のショルダーベルト２としては、ナップサックやランドセルや幼児用キャリアなどのように両方の肩にそれぞれ掛けられる物の片方のショルダーベルトがより好ましい。
【００１７】
ショルダーベルト連結具１は、図１及び図２に示すように、一方の鞄類のショルダーベルト２に着脱自在に装着される装着体４に、他方の鞄類のショルダーベルト３を保持するための保持体５を設けている。
【００１８】
装着体４は、一方の鞄類のショルダーベルト２に着脱自在に装着することができる構造であれば特に素材や形状等は問わないが、ここでは、布製等の可撓性を有する素材を長方形状に裁断したものを用いている。なお、装着体４は、長さを調節できるような構造とすることもできる。
【００１９】
また、装着体４は、表側（上側）の端部（右端）と裏側（下側）の端部（表から見て左端）とにそれぞれ連結部6,7を設けて、一方のショルダーベルト２に巻回させた状態で連結部6,7同士で連結できるようにしている。なお、連結部6,7は、互いに連結できればよく、面ファスナーなどを用いて容易に着脱可能としてもよく、線ファスナー（チャック）などを用いて頑丈に連結可能としてもよい。
【００２０】
保持体５は、他方の鞄類のショルダーベルト３を保持することができる構造であれば特に素材や形状等は問わないが、ここでは、布製等の可撓性を有する素材をベルト状に裁断した一対の保持片8,9の基端（左側の保持片８の右端と右側の保持片９の左端）を装着体４の表側に取付ける（固定する）とともに、各保持片8,9の先端（左側の保持片８の左端と右側の保持片９の右端）に連結片10,11を取付けている。なお、連結片10,11は、互いに連結できればよく、ここでは、差し込み部と受部とで連結するバックルなどを用いて頑丈に連結可能としているが、面ファスナーなどを用いて容易に着脱可能としてもよい。また、保持体５（保持片8,9）は、長さを調節できるような構造とすることもできる。
【００２１】
なお、上記ショルダーベルト連結具１では、装着体４における一方のショルダーベルト２に沿う方向に伸延する幅（図２中の上下幅）の方を、保持体５における他方のショルダーベルト３に沿う方向に伸延する幅（図２中の上下幅）よりも広くしている。
【００２２】
上記ショルダーベルト連結具１では、保持体５を装着体４に設けて、一方の鞄類に着脱することができるような構造としているが、これに限定されるものではなく、装着体４を設けることなく保持体５を直接鞄類のショルダーベルト３に固定的に又は着脱自在に設けた（取付けた）構造としてもよい。
【００２３】
たとえば、図３に示すショルダーベルト連結具12では、幼児用キャリア13のショルダーベルト14,15のうちの一方のショルダーベルト15に保持体16を直接取付けている。ここで、保持体16は、図２に示すショルダーベルト連結具１の保持体５と同様に布製等の可撓性を有する素材をベルト状に裁断した一対の保持片17,18の基端（左側の保持片17の右端と右側の保持片18の左端）をショルダーベルト15の表側に取付ける（固定する）とともに、各保持片17,18の先端（左側の保持片17の左端と右側の保持片18の右端）に連結片19,20を取付けている。
【００２４】
保持体16は、幼児用キャリア13に限られず各種の鞄類のショルダーベルトに直接取付けることができるが、幼児用キャリア13のように使用時に両方のショルダーベルト14,15の脱落を防止するための係留具21,22が設けられている鞄類に取付けることがより好ましい。
【００２５】
また、保持体16は、ショルダーベルトのいずれの位置に取付けてもよいが、使用時に肩に掛かるショルダーベルトの頂部やその近傍が望ましく、頂部よりも前方の方が装着操作を容易なものとすることができる。
【００２６】
以上に説明したように、上記ショルダーベルト連結具１(12)は、異なる鞄類のショルダーベルト2,3同士を連結するものであり、一方の鞄類のショルダーベルト２に着脱自在に又は固定して設けられ、他方の鞄類のショルダーベルト３を着脱自在に保持するための保持体５を有する構成となっている。
【００２７】
そのため、上記構成のショルダーベルト連結具１(12)では、両方の鞄類のショルダーベルト2,3を連結させた状態で肩に掛けることができるので、片方の鞄類のショルダーベルト３だけが肩からずり落ちてしまうのを防ぐことができ、安全性を向上させることができる。
【００２８】
また、上記構成のショルダーベルト連結具１は、一方の鞄類のショルダーベルト２に着脱自在に装着される装着体４に保持体５を設けた構成となっている。
【００２９】
そのため、上記構成のショルダーベルト連結具１では、いずれの鞄類にも汎用して用いることができるので、利便性を向上させることができる。
【００３０】
さらに、上記ショルダーベルト連結具１は、保持体５よりも装着体４の幅を広くした構成となっている。
【００３１】
そのため、上記構成のショルダーベルト連結具１では、幅広の装着体４を肩に掛けることで、肩が受ける力が分散して身体的苦痛を軽減することができるとともに、安定感を向上させることができる。
【符号の説明】
【００３２】
１  ショルダーベルト連結具          2,3  ショルダーベルト
４  装着体                          ５  保持体
6,7  連結部                         8,9  保持片
10,11  連結片                       12  ショルダーベルト連結具
13  幼児用キャリア                  14,15  ショルダーベルト
16  保持体                          17,18  保持片
19,20  連結片                       21,22  係留具
【図１】
2019134839.tif 000003
【図２】
2019134839.tif 000004
【図３】
2019134839.tif 000005